(57)【特許請求の範囲】
【請求項１】
情報処理端末装置と、該情報処理端末装置に着脱可能なＲＦモジュールとから成る無線通信装置において、
前記ＲＦモジュールは、アンテナと、複数の通信システムにそれぞれ対応した複数のＲＦ部と、前記情報処理端末装置から入力されるデジタル信号をアナログ信号に変換して前記ＲＦ部に出力するデジタル・アナログ変換手段と、前記前記ＲＦ部から入力されるアナログ信号をデジタル信号に変換して前記情報処理端末装置に出力するアナログ・デジタル変換手段と、を備え、且つ、前記各ＲＦ部は、前記デジタル・アナログ変換手段からの信号を入力とする送信手段と、前記アナログ・デジタル変換手段に受信信号を出力する受信手段と、前記送信手段および受信手段を前記アンテナに接続するための送受信共用器と、を有し、
前記情報処理端末装置は、各通信システムに対応したチャネル接続を制御するアクセス制御部と、各通信システムに対応したビット処理を行うビット処理部と、該ビット処理部の出力信号に基づき被変調信号を生成する変調器と、前記ＲＦモジュールからの出力信号に基づき復調信号を生成する復調器と、を備えたことを特徴とする無線通信装置。
【請求項２】
前記デジタル・アナログ変換手段の出力側にＩＦ帯域通過フィルタを介してＲＦ周波数として出力する第１の周波数変換手段を、前記アナログ・デジタル変換手段の入力側にＩＦ帯域通過フィルタを介してＩＦ周波数を出力する第２の周波数変換手段をそれぞれ配置したことを特徴とする請求項１記載の無線通信装置。
【請求項３】
前記デジタル・アナログ変換手段の入力側と前記アナログ・デジタル変換手段の出力側とにそれぞれ周波数変換とチャネル生成とを行うチャネル生成手段を配置したことを特徴とする請求項１または請求項２記載の無線通信装置。
【発明の詳細な説明】
【０００１】
【発明の属する技術分野】
本発明は無線通信装置に関し、特にカード型無線端末装置を用いて複数の異なった通信システムに対して通信を可能にする手段に関する。
【０００２】
【従来の技術】
近年、デジタル携帯電話等の無線端末装置をカードサイズに小型化し、ノート型のパーソナルコンピュータ（Personal Computer 以下、ＰＣと記述する）のＰＣカードスロットに装着してデータ通信を行うモバイルマルチメディア通信が盛んになってきている。
図５はノート型ＰＣを用いるモバイルマルチメディア通信用無線端末装置の例を示す外観図である。この無線端末装置は、ノート型ＰＣ２００に通常用意されているＰＣＭＣＩＡ(Personal Computer Memory Card International Association) 規格カードスロット２０１に所望の通信システム、例えば、デジタル携帯電話（Personal Digital Cellrer、以下ＰＤＣと記す）、或いはＰＨＳ(Personal Handyphone System)、または、ポケットベル（以下、ＰＢと記す）に対応したカード型無線端末装置２０２ａ〜２０２ｃをそのつど挿入してデータ通信を行う。図６は、従来のカード型無線端末装置とこれを挿入するＰＣ側の構成例を示す機能ブロック図である。この例に示すカード型無線端末装置３００は、アンテナ２０とＲＦ部３０と周波数変換／チャネル生成部４０と変復調部５０とアクセス制御部６０と前記カード型無線端末装置３００にインタフェースするためＰＣ２００に配置されたデータ処理部２０８に信号を供給するビット処理部７０とを順次接続して構成される。
ＲＦ部３０は、アンテナ２０に接続された送受信共同部分としての送受信共用器３２と、送信手段として電力増幅器３３を介して前記送受共用器３２に接続された第１のＲＦ帯域通過フィルタ３４と、受信手段として第２のＲＦ帯域通過フィルタ３５を介して前記送受信共用器３２に接続された低雑音増幅器３６とから構成される。
また、周波数変換／チャネル生成部４０は、第１のローカル発信器４１の出力信号と第１のＩＦ帯域通過フィルタ４２の出力信号とに基づき動作し前記第１のＲＦ帯域通過フィルタ３４に接続された第１のミキサ４３と、第２のローカル発信器４４の出力信号と前記低雑音増幅器３６の出力信号とに基づき動作し第２のＩＦ帯域通過フィルタ４５に接続された第２のミキサ４６とから構成される。
【０００３】
さらに、変復調部５０は、各種通信システムに対応したチャネル接続を制御するアクセス制御部６０を介して各通信システムに対応したビット処理を行うビット処理部７０の出力信号に基づき被変調信号を生成して前記第１のＩＦ帯域通過フィルタ４２に供給する変調器５１と、前記第２のＩＦ帯域通過フィルタ４５の出力信号に基づき復調信号を生成して前記アクセス制御部６０を介して前記ビット処理部７０に供給する復調器５２とから構成される。
図６に示したカード型無線端末装置３００は以下のように機能する。即ち、受信系としては、到来する所望の通信システムの信号をアンテナ２０と送受信共用器３２とを介して第２のＲＦ帯域通過フィルタ３５に導びいて帯域制限をした後、低雑音増幅器３６において所定の増幅を行い第２のミキサ４６に出力する。さらに、この信号を第２のミキサ４６が第２のローカル発信器４４の出力信号を用いて所定のＩＦ周波数に変換し、第２のＩＦ帯域通過フィルタ４５による帯域制限の後に復調器５２において復調する。この復調信号は、アクセス制御部６０において当該通信システムで用いるチャネル接続の制御を受けると共にビット処理部７０において誤り訂正等のビット処理が施され、ＰＣ２００内のデータ処理部２０８に供給される。
次に送信系としては、まず、送信データをＰＣ２００内のデータ処理部２０８が出力すると、ビット処理部７０において送信データを誤り訂正符号化した後にアクセス制御部６０において所望の通信システムに対応するチャネル接続方式に合わせて送信データのフレームフォーマットを成形し、これを変調信号として変調器５１に供給する。この変調信号は変調器５１において変調されると共に第１のＩＦ帯域通過フィルタ４２において帯域制限された後、第１のミキサ４３と第１のローカル発信器４１の出力信号とによりＲＦ信号に周波数変換されて第１のＲＦ帯域通過フィルタ３４に供給される。ここで、信号（被変調信号）は帯域制限を受けて不要信号成分が除去され、電力増幅器３３による所定の増幅後に送受信共用器３２とアンテナ２０とを介して空間に放射される。
【０００４】
【発明が解決しようとする課題】
しかしながら上述したような従来のカード型無線端末装置においては以下に示すような大きな問題点があった。つまり、各通信システム、例えば、上述したＰＤＣ、ＰＨＳ、或いはＰＢ等はＲＦ周波数、チャネル帯域幅、変復調方式、アクセス制御方式（チャネル接続方式）、ビット処理方式がそれぞれ異なるので、１枚のカード型無線端末装置により上記複数の通信システムに対応した通信を行う場合は、各通信システムが必要とする全ての機能をカード型無線端末装置に多重化する必要がある。しかし、１枚のカード型無線端末装置に上記複数の通信システムに係わる機能を実現する回路を全て納めることは、規格化されたカードの形態上から困難である。
具体的に説明すれば、例えば、各システムのＲＦ周波数として、ＰＤＣは８００ＭＨｚ帯、ＰＨＳは１．９ＧＨｚ帯、ＰＢは４００ＭＨｚ帯がそれぞれ割り当てられているので、これら３つの通信システムに対応可能な端末装置としては広範囲な周波数帯域での動作が必要になるが、従来の個別通信システムに対応したカード型無線端末装置内に配置されたＲＦ部だけでは前記全周波数帯域をカバーすることができない。また、各通信システムが必要とする種々のＲＦ機能を１枚のカードに多重化することもカード型としてのスペースの点から困難である。さらに、変復調部も各通信システムごとにπ／４シフトＱＰＳＫ、或いはＦＳＫと方式が異なるので従来のカード型無線端末装置内に配置された変復調部だけでは対応できない。
以上の理由から、従来のカード型無線端末装置を用いて複数の異なった通信システムのデータ伝送を行う場合は、図５に示すように各通信システムごとに対応するカード型無線端末装置をその都度差し替えて使用する必要があり、そのため使用にも持ち運びにも大変不便であった。
本発明は、上述した従来の無線通信装置に関する問題を解決するためになされたもので、１枚のカード型無線端末装置とこれを装着するＰＣを用いて複数の異なった通信システムに対応した通信が可能な無線通信装置を提供することを目的とする。
【０００５】
【課題を解決するための手段】
上記目的を達成するために、本発明に係わる無線通信装置の請求項１記載の発明は、情報処理端末装置と、該情報処理端末装置に着脱可能なＲＦモジュールとから成る無線通信装置において、前記ＲＦモジュールは、アンテナと、複数の通信システムにそれぞれ対応した複数のＲＦ部と、前記情報処理端末装置から入力されるデジタル信号をアナログ信号に変換して前記ＲＦ部に出力するデジタル・アナログ変換手段と、前記前記ＲＦ部から入力されるアナログ信号をデジタル信号に変換して前記情報処理端末装置に出力するアナログ・デジタル変換手段と、を備え、且つ、前記各ＲＦ部は、前記デジタル・アナログ変換手段からの信号を入力とする送信手段と、前記アナログ・デジタル変換手段に受信信号を出力する受信手段と、前記送信手段および受信手段を前記アンテナに接続するための送受信共用器と、を有し、前記情報処理端末装置は、各通信システムに対応したチャネル接続を制御するアクセス制御部と、各通信システムに対応したビット処理を行うビット処理部と、該ビット処理部の出力信号に基づき被変調信号を生成する変調器と、前記ＲＦモジュールからの出力信号に基づき復調信号を生成する復調器と、を備えたことを特徴とする。
本発明に係わる無線通信装置の請求項２記載の発明は、請求項１記載の無線通信装置において、前記デジタル・アナログ変換手段の出力側にＩＦ帯域通過フィルタを介してＲＦ周波数として出力する第１の周波数変換手段を、前記アナログ・デジタル変換手段の入力側にＩＦ帯域通過フィルタを介してＩＦ周波数を出力する第２の周波数変換手段をそれぞれ配置したことを特徴とする。
本発明に係わる無線通信装置の請求項３記載の発明は、請求項１または請求項２記載の無線通信装置において、前記デジタル・アナログ変換手段の入力側と前記アナログ・デジタル変換手段の出力側とにそれぞれ周波数変換とチャネル生成とを行うチャネル生成手段を配置したことを特徴とする。
【０００６】
【発明の実施の形態】
以下、図示した実施の形態例に基づいて本発明を詳細に説明する。なお、本発明は任意数の各種通信システムに対応するように構成することが可能であるが、一例として３種類の通信システム（例えば、ＰＤＣ、ＰＨＳ及びＰＢ等）に対して通信可能な構成例について説明する。
図１は本発明に係わる無線通信装置の実施の形態例を示す機能ブロック図である。この例に示す無線通信装置は、アンテナ２０と３種類の通信システムに対応した３つのＲＦ部３０ａ、３０ｂ、３０ｃとデジタル／アナログ変換器（以下、Ｄ／Ａ変換器と記す）１１とアナログ／デジタル変換器（以下、Ａ／Ｄ変換器と記す）１２とを備えるＲＦモジュール１０と、ＰＣ２００内に配置され周波数変換／チャネル生成部４０αと変復調部５０αとアクセス制御部６０αとビット処理部７０αとデータ処理部８０αとを順次接続したデジタル信号処理部１００αとから構成される。
また、前記ＲＦモジュール１０の各ＲＦ部３０ａ、３０ｂ、３０ｃは、前記アンテナ２０に接続された送受信共同部分としての送受信共用器３２ａ、３２ｂ、３２ｃと、送信手段として前記第１のＲＦ帯域通過フィルタ３４ａ、３４ｂ、３４ｃを介して前記Ｄ／Ａ変換器１１の出力信号を増幅して前記送受信共用器３２ａ、３２ｂ、３３ｃに供給する電力増幅器３３ａ、３３ｂ、３３ｃと、受信手段として前記送受信共用器３２ａ、３２ｂ、３２ｃに接続された第２のＲＦ帯域通過フィルタ３５ａ、３５ｂ、３５ｃの出力信号を増幅して前記Ａ／Ｄ変換器１２に供給する低雑音増幅器３６ａ、３６ｂ、３６ｃとから構成される。
さらに、前記デジタル信号処理部１００αを構成する周波数変換／チャネル生成部４０αは、第１のローカル発信器４１αの出力信号と第１のＩＦ帯域通過フィルタ４２αの出力信号とに基づき動作し前記Ｄ／Ａ変換器１１に接続された第１のミキサ４３αと、第２のローカル発信器４４αの出力信号と前記Ａ／Ｄ変換器１２の出力信号とに基づき動作し第２のＩＦ帯域通過フィルタ４５αに接続された第２のミキサ４６αとから構成される。
変復調部５０αは、各通信システムに対応したチャネル接続を制御するアクセス制御部６０αを介して各通信システムに対応したビット処理を行うビット処理部７０αの出力信号に基づき被変調信号を生成して前記第１のＩＦ通過フィルタ４２αに供給する変調器５１αと、前記第２のＩＦ帯域通過フィルタ４５αの出力信号に基づき復調信号を生成して前記アクセス制御部６０αを介して前記ビット処理部７０αに供給する復調器５２αとから構成される。なお、各種アプリケーションを行うデータ処理部８０αは、前記ビット処理部７０αに接続される。
【０００７】
図１に示した本発明に係わる無線通信装置は以下のように機能する。即ち、受信系としては、到来する所望の通信システムの信号をアンテナ２０と各ＲＦ部３０ａ、３０ｂ、３０ｃに配置された送受信共用器３２ａ、３２ｂ、３２ｃとを介して受信すると、第２のＲＦ帯域通過フィルタ３５ａ、３５ｂ、３５ｃがそれぞれの通信システムに割当てられたＲＦ信号のみを通過させる。ここでは、受信ＲＦ信号はＲＦ部３０ａに配置された第２のＲＦ帯域通過フィルタ３５ａのみを通過するものとして説明する。
なお、後述する送信系の場合は第１の通過帯域フィルタ３４ａのみがＤ／Ａ変換器１１からの出力信号を通過させるものとして説明する。
従って、この例においては、受信信号を第２のＲＦ帯域通過フィルタ３５ａだけが通過させて帯域制限した後に低雑音増幅器３６ａにおいて所定の増幅をしてＡ／Ｄ変換器１２に出力すると共に、ここでアナログ信号をデジタル信号に変換してデジタル信号処理部１００αに配置された第２のミキサ４６αに出力する。さらに、この信号を第２のミキサ４６αが第２のローカル発信器４４αの出力信号を用いて所望の通信システムに対応したＩＦ周波数に変換し、第２のＩＦ帯域通過フィルタ４５αにより当該通信システムに対応したチャネル帯域幅に帯域制限した後、復調器５２αにおいて復調する。この復調信号は、アクセス制御部６０αにおいて当該通信システムで用いるチャネル接続の制御を受けると共にビット処理部７０αにおいて誤り訂正等のビット処理が施され、データ処理部８０αに供給される。
ここで、デジタル信号処理部１００αは、従来ハードウエアでアナログ的に行っていた信号処理をＡ／Ｄ変換後にＤＳＰ(Digital Signal Processor)等を用いてソフトウエア的に行うものであり、当該ソフトウエアを書き換えることにより種々の信号処理機能を同一のＤＳＰを用いて実現できる。従って、上述した第２（第１）のミキサ４６α（４３α）、第２（第１）のローカル発信器４４α（４１α）、第２（第１）のＩＦ帯域通過フィルタ４５α（４２α）、復調器５２α（変調器５１α）、アクセス制御部６０α、ビット処理部７０αは、所望の通信システムに対応してソフトウエアを書き換えることにより当該通信システムに必要な機能をもつことができる。
【０００８】
次に送信系としては、まず、送信データをＰＣ２００内のデータ処理部８０αが出力すると、ビット処理部７０αにおいて送信データを誤り訂正符号化した後にアクセス制御部６０αにおいて所望の通信システムに対応するチャネル接続方式に送信データのフレームフォーマットを成形し、これを変調信号として変調器５１αに供給する。この変調信号は変調器５１αにおいて変調され被変調信号に成形されると共に、第１のＩＦ帯域通過フィルタ４２αにおいて所望の通信システムのチャネル帯域幅に帯域制限された後、第１のミキサ４３αと第１のローカル発信器４１αの出力信号とにより所定のＲＦ信号に周波数変換されてＤ／Ａ変換器１１に出力され、ここでデジタル信号がアナログ信号に変換されて各第１のＲＦ帯域通過フィルタ３４ａ、３４ｂ、３４ｃに供給される。
上述したように、この実施例においては第１のＲＦ部３０ａを所望の通信システムに対応するＲＦ部としているので、第１のＲＦ部３０ａに配置された第１のＲＦ帯域通過フィルタ３４ａのみがＤ／Ａ変換器１１の出力信号（被変調信号）を通過させて帯域制限による不要信号成分の除去を行い、電力増幅器３３ａによる所定の増幅後に送受信共用器３２ａとアンテナ２０とを介して空間に放射する。
要するに、本発明に係わる無線通信装置は、各種の通信システムが要求する種々の機能の大部分をＰＣ内に配置したデジタル信号処理部１００αによりソフトウエア的に処理するようにして、各種通信システムに対応して必要となるハードウエアの多重化をＲＦモジュール１０内のＲＦ部のみで済むように構成したものである。
従って、上述した従来のカード型無線端末装置におけるＲＦ部以外の機能をすべてＰＣ内のデジタル信号処理部に移設したので、各種通信システムがそれぞれ必要とするＲＦ部を多重化したＲＦモジュール１０を１枚のカード型無線端末装置として構成することが可能となり、これをＰＣに挿入することで簡単に多種通信システムに対応した通信が可能となる。
【０００９】
なお、本発明に係わる無線通信装置のＲＦモジュール１０において使用するアンテナ２０は、上述したように広帯域特性が要求されるので、例えば、モノポールアンテナを多周波共用化したものが必要となろう。これについては、文献「恵比根、鹿子嶋、”近接無給電素子を有する多周波共用ダイポールアンテナ、”電子情報通信学会論文誌（Ｂ）、ｐｐ．１２５２−１２５８、１９８８年１１月号」に詳しい記載があるので、ここでは説明を省略する。
以上説明した本発明の実施の形態例においては、ＲＦモジュール１０を複数のＲＦ部３０ａ、３０ｂ、３０ｃとＤ／Ａ変換器１１とＡ／Ｄ変換器１２とから構成したが、本発明の実施にあってはこの例に限らず、例えばＤ／Ａ変換器１１の出力側、或いはＡ／Ｄ変換器１２の入力側に周波数変換部を追加して構成してもよい。
図２は、本発明に係わる無線通信装置の第２の実施の形態例を示す機能ブロック図である。この例に示す無線通信装置は、図１に示した第１の実施の形態例におけるＲＦモジュール１０に、第３のＩＦ帯域通過フィルタ９１を介する前記Ｄ／Ａ変換器１１の出力信号と第３のローカル発振器９２の出力信号とに基づき動作し前記各ＲＦ帯域通過フィルタ３４ａ、３４ｂ、３４ｃに接続された第３のミキサ９３を追加すると共に、前記各低雑音増幅器３６ａ、３６ｂ、３６ｃの出力信号と第４のローカル発信器９４の出力信号とに基づき動作し第４のＩＦ帯域通過フィルタ９５を介して前記Ａ／Ｄ変換器１２に接続された第４のミキサ９６を追加したものである。
なお、第３と第４のＩＦ帯域通過フィルタ９１、９５はＡ／Ｄ変換器１２、或いはＤ／Ａ変換器１１に係わるイメージ除去のためのフィルタであるので、各種通信システムのチャネル帯域に合わせる必要はなく、従って、各種通信システムごとに多重化する必要はない。
このように構成されたＲＦモジュール１０においては、第３のミキサ９３により送信ＩＦ信号をＲＦ信号に、また、第４のミキサ９６により受信ＲＦ信号をＩＦ信号に周波数変換するので、Ａ／Ｄ変換とＤ／Ａ変換を行う周波数を低くすることができ、それに伴って動作クロックを低くできるから、小型、安価で消費電流の少ないＡ／Ｄ変換器とＤ／Ａ変換器とを用いることができる利点がある。
【００１０】
図３は、本発明に係わる無線通信装置の第３の実施の形態例を示す機能ブロック図である。この例に示す無線通信装置は、図１に示した第１の実施の形態例におけるＲＦモジュール１０にＰＣ２００内に配置されたデジタル信号処理による周波数変換・チャネル生成部４０αの機能を移設したものである。即ち、図１に示されたＲＦモジュール１０に、周波数変換・チャネル生成部４０として、第１のスイッチＳＷ１と各通信システムのチャネル帯域幅にそれぞれ対応するＩＦ帯域通過フィルタ４２ａ、４２ｂ、４２ｃと第２のスイッチＳＷ２とを順次接続した回路を介する前記変調器５１α出力信号と第１のローカル発信器４１の出力信号とに基づき動作し前記Ｄ／Ａ変換器１１に接続される第１のミキサ４３を追加すると共に、前記Ａ／Ｄ変換器１２の出力信号と第２のローカル発信器４４とに基づき動作し第３のスイッチＳＷ３と各通信システムのチャネル帯域幅にそれぞれ対応するＩＦ帯域通過フィルタ４５ａ、４５ｂ、４５ｃと第４のスイッチＳＷ４とを順次接続した回路を介して前記復調器５２αに接続された第２のミキサ４６を追加したものである。
このように構成されたＲＦモジュール１０では、周波数変換・チャネル生成部４０をデジタルのハードウエア、例えば、カスタムロジックであるＡＳＩＣ等で構成し、第１と第２と第３と第４の各スイッチＳＷ１〜ＳＷ４を用いて所望の通信システムに対応するＩＦ帯域通過フィルタ４２ａ、４２ｂ、４２ｃ、４５ａ、４５ｂ、４５ｃを選択する。
デジタル信号処理部１００αにおける周波数変換／チャネル生成部４０αの演算処理量はかなり大きいので、このように無線通信装置を構成することによりデジタル信号処理部１００αのソフトウエア処理量を大幅に低減でき、従って、ＰＣ２００内に備わるＣＰＵの負担を大幅に軽減できる利点がある。
図４は、本発明に係わる無線通信装置の第４の実施の形態例を示す機能ブロック図である。この例に示す無線通信装置は、図２に示した第２の実施の形態例と図３に示した第３の実施の形態例とを組み合わせてＲＦモジュール１０を構成したものである。従って、ＲＦモジュール１０内の構成要素がやや増えるものの、上述した理由により小型、安価で消費電流の少ないＡ／Ｄ変換器とＤ／Ａ変換器とを用いることができると共に、デジタル信号処理部１００αのソフトウエア処理量を大幅に低減できる２つの利点を有する。
以上、本発明をノート型ＰＣに着脱可能なＰＣＭＣＩＡカード型のＲＦモジュールを例に説明してきたが、本発明はこれのみに限定されるものではなく、ＲＦモジュールをノート型ＰＣ以外の信号処理端末に接続するものとしてもよく、また、カード型以外の形態としてもよい。
【００１１】
【発明の効果】
以上説明したように、本発明の無線通信装置は、ＲＦ部以外の機能を情報処理端末装置に設けるようにしたことで、ＲＦモジュールに各種通信システムがそれぞれ必要とするＲＦ部を多重化して設けることが可能になる。従って、例えば、情報処理端末装置に１枚のカード型のＲＦモジュールを装着するだけで、複数の異なる通信システムと通信を行うことが可能になる。
【図面の簡単な説明】
【図１】本発明に係わる第１の実施の形態例を示す機能ブロック図。
【図２】本発明に係わる第２の実施の形態例を示す機能ブロック図。
【図３】本発明に係わる第３の実施の形態例を示す機能ブロック図。
【図４】本発明に係わる第４の実施の形態例を示す機能ブロック図。
【図５】ノート型ＰＣを用いるモバイルマルチメディア通信用無線端末の例を示す外観図。
【図６】従来のカード型無線端末装置とこれを挿入するＰＣの構成例を示す機能ブロック図。
【符号の説明】
１０・・ＲＦモジュール
１１・・Ｄ／Ａ変換器
１２・・Ａ／Ｄ変換器
２０・・アンテナ
３０ａ、３０ｂ、３０ｃ・・ＲＦ部
３２ａ、３２ｂ、３２ｃ・・送受信共用器
３３ａ、３３ｂ、３３ｃ・・電力増幅器
３４ａ、３４ｂ、３４ｃ・・第１のＲＦ帯域通過フィルタ
３５ａ、３５ｂ、３５ｃ・・第２のＲＦ帯域通過フィルタ
３６ａ、３６ｂ、３６ｃ・・低雑音増幅器
４０α・・デジタル信号処理部内の周波数変換／チャネル生成部
４１α・・第１のローカル発信器
４２α・・第１のＩＦ帯域通過フィルタ
４３α・・第１のミキサ
４４α・・第２のローカル発信器
４５α・・第２のＩＦ帯域通過フィルタ
４６α・・第２のミキサ
５０α・・デジタル信号処理部内の変復調部
５１α・・変調器
５２α・・復調器
６０α・・デジタル信号処理部内アクセス制御部
７０α・・デジタル信号処理部内ビット処理部
８０α・・デジタル信号処理部内データ処理部
１００α・・デジタル信号処理部
２００・・ＰＣ
【図１】
0004059569.tif 000002
【図２】
0004059569.tif 000003
【図３】
0004059569.tif 000004
【図４】
0004059569.tif 000005
【図５】
0004059569.tif 000006
【図６】
0004059569.tif 000007